(57)【特許請求の範囲】
【請求項１】
リール本体に、先端側にスプールを装着したスプール軸が支持された魚釣用スピニングリールに於て、
上記スプールの前側に形成した前壁部に、上記スプール軸にスプールを支持するスプール軸支持部を設けると共に、当該スプール軸支持部を頂部として上記前壁部を、スプールの釣糸巻回胴部の略中央部に向け山形状に傾斜させた撫で肩リブ形状に形成したことを特徴とする魚釣用スピニングリール。
【請求項２】
上記スプールを、スプール本体と当該スプール本体の前部に装着されるスプール前鍔リングとで構成し、当該スプール本体とスプール前鍔リングとの間に消音部材を装着したことを特徴とする請求項１に記載の魚釣用スピニングリール。
【請求項３】
上記スプールの前部に装着されるスプール止めキャップとスプールとの間に、消音部材を装着したことを特徴とする請求項１に記載の魚釣用スピニングリール。
【発明の詳細な説明】
【技術分野】
【０００１】
本発明は魚釣用スピニングリールに係り、詳しくは釣糸が巻回されるスプールに改良を加えた魚釣用スピニングリールに関する。
【背景技術】
【０００２】
従来周知のように魚釣用スピニングリール（以下、「スピニングリール」という）は、ロータに設けた一対の支持アームの先端に、半環状のベールが一対のベール支持部材を介して釣糸巻取り位置と釣糸放出位置とに反転自在に取り付き、スプールに釣糸を案内するラインローラが一方のベール支持部材に装着されている。
そして、スプールは、釣糸を巻回する釣糸巻回胴部と、その前端側に設けられた前側鍔部と、釣糸巻回胴部の後端側に設けられた後側鍔部とで構成されており、ベールを釣糸放出位置に倒して釣竿を勢いよく振り下ろすと、スプール（釣糸巻回胴部）に巻回された釣糸がスパイラル状に解かれて前側鍔部より前方へ放出されるようになっている。
【０００３】
しかし、斯様に釣糸がスプールから放出される際に、釣糸が前側鍔部の外周を勢いよく叩くように接触し乍ら放出されるため、スプールがアルミニウム等の金属材料で形成されている場合、釣糸の前側鍔部への接触によって放出音が発生していた。
そして、一般にスプールは釣り鐘状に形成されているため、斯様に発生した放出音が釣糸巻回胴部全体で大きく共鳴振動して響き、釣人に不快感を与えてしまう虞があった。
【０００４】
そこで、斯かる実情に鑑み、特許文献１には、図５に示すようにスプール１の内部に固定した支持体３とスプール１の釣糸巻回胴部５の内周面との径方向対向部位に消音部材（例えば、Ｏ−リング）７を接触状態で介在させて、釣糸放出時の放出音の発生を防止したスピニングリールが提案されている。
【特許文献１】特開平９−７４９５６号公報
【発明の開示】
【発明が解決しようとする課題】
【０００５】
しかし乍ら、図５の消音構造にあっては、支持体３とこれをスプール１に固定する複数本の固定ビス９や消音部材７を必要とするため、部品点数が多くなって組込性，分解性が悪く、また、コスト高になってしまう欠点があった。
而も、この従来例では、放出音が共鳴振動する釣糸巻回胴部５の内周面に消音部材７を単に接触させた構造に過ぎないため、消音効果が必ずしも十分とはいえなかった。
【０００６】
本発明は斯かる実情に鑑み案出されたもので、スプールに改良を加え、簡単な構造で釣糸放出時の放出音を低減したスピニングリールを提供することを目的とする。
【課題を解決するための手段】
【０００７】
斯かる目的を達成するため、請求項１に係る発明は、リール本体に、先端側にスプールを装着したスプール軸が支持されたスピニングリールに於て、上記スプールの前側に形成した前壁部に、上記スプール軸にスプールを支持するスプール軸支持部を設けると共に、当該スプール軸支持部を頂部として上記前壁部を、スプールの釣糸巻回胴部の略中央部に向け山形状に傾斜させた撫で肩リブ形状に形成したことを特徴とする。
そして、請求項２に係る発明は、請求項１に記載のスピニングリールに於て、上記スプールを、スプール本体と当該スプール本体の前部に装着されるスプール前鍔リングとで構成し、当該スプール本体とスプール前鍔リングとの間に消音部材を装着したことを特徴とする。
【０００８】
また、請求項３に係る発明は、請求項１に記載のスピニングリールに於て、上記スプールの前部に装着されるスプール止めキャップとスプールとの間に、消音部材を装着したことを特徴とする。
【発明の効果】
【０００９】
請求項１に係る発明によれば、スプールの前側に形成した壁部、即ち、前壁部を、当該前壁部に設けたスプール軸支持部を頂部として釣糸巻回胴部の略中央部（スプールの略中央部）に向け後方へ山形状に傾斜させた撫で肩リブ形状に設けた構造上、前壁部が釣糸巻回胴部の略中央部での放出音の大きな共鳴振動を抑えるため、釣糸放出時に発生する放出音の低減を簡単な構造によって図ることができると共に、従来例に比し部品点数が少なく組込性，分解性に優れ、低コストで製品化できる利点を有する。
【００１０】
また、斯様にスプール軸支持部を頂部として、前壁部を、釣糸巻回胴部の略中央部（スプールの略中央部）に向け後方へ山形状に傾斜させた撫で肩リブ形状としたため、スプールの前後方向への往復動時に前壁部がロータと干渉せず、スプールの大きな前後ストロークが維持できると共に、例えば前壁部を断面Ｌ字状に折曲形成してこれを釣糸巻回胴部の略中央部に連結した構造に比し、スプールの軽量化が図れる利点を有する。
【００１１】
そして、請求項２及び請求項３に係る発明によれば、消音部材を用いることで、釣糸放出時に発生する放出音の低減をより確実に図ることができる。
【発明を実施するための最良の形態】
【００１２】
以下、本発明の実施形態を図面に基づいて詳細に説明する。
図１及び図２は請求項１及び請求項２に係るスピニングリールの一実施形態を示し、図中、１１は軸受を介してリール本体１３の前部に回転可能に軸支された中空なフライヤ軸で、その先端にロータ１５がナット１７で固定されている。そして、フライヤ軸１１の後端のピニオン１９に、ハンドル２１のハンドル軸に固着した駆動歯車２３が噛合しており、ハンドル２１の回転操作が駆動歯車２３，ピニオン１９からフライヤ軸１１に伝達されてロータ１５が回転するようになっている。
【００１３】
そして、ロータ１５の基部に、一対の支持アーム２５，２７がリール本体１３の前方へ一体に延設され、両支持アーム２５，２７の先端に、夫々、ベール支持部材２９が釣糸巻取り位置と釣糸放出位置とに反転自在に取り付けられている。そして、両ベール支持部材２９間に半環状のベール３１が取り付き、一方のベール支持部材２９にラインローラ３３が回転可能に装着されている。
【００１４】
また、図中、３５はフライヤ軸１１を挿通してリール本体１３に取り付くスプール軸で、当該スプール軸３５は、その後端部に固着した摺動子３７やトラバースカム軸３９からなるトラバース機構４１により、ロータ１５の回転に連動してリール本体１３の前後方向へ往復動するようになっている。
そして、スプール軸３５の先端に螺着したスプール止めキャップ（機能部材）４３と、当該スプール軸３５に挿着したストッパピン４５とに挟持されて、スプール４７がスプール軸１５の先端側に回り止め嵌合されている。
【００１５】
図２に示すようにスプール４７は、釣糸巻回胴部４９と後側鍔部５１が一体成形されたスプール本体５３と、当該スプール本体５３の前部に螺着されたスプール前鍔リング（機能部材）５５とで構成され、斯様にスプール前鍔リング５５が螺着して釣糸巻回胴部４９の前端側に前側鍔部５７が設けられている。
尚、スプール本体５３は、従来と同様、アルミニウム等の金属材料で形成され、スプール前鍔リング５５は、アルミニウムやステンレス鋼等の金属材料で形成されて、硬質表面処理が施されている。
【００１６】
また、スプール本体５３の前側に形成した前壁部６１の中央には、スプール４７をスプール軸３５に支持するスプール軸支持部５９が設けられており、スプール軸支持部５９の裏面側に前記ストッパピン４５が係合している。
更に、図２に示すようにスプール前鍔リング５５の外周には、消音部材６３を環装した環状溝６５が設けられており、スプール本体５３の前部にスプール前鍔リング５５を螺着すると、消音部材６３がスプール本体５３の前端側内周に圧接するようになっている。
【００１７】
而して、消音部材６３は、スプール４７より固有振動数の小さい部材で、合成ゴムで代表されるエラストマーやプラスチック，シリコン及びウレタン等のゲル材で形成されている。
そして、本実施形態は、釣糸放出時の大きな放出音の発生を防止するため、図２に示すように前記前壁部６１をスプール軸支持部５９を頂部とする山形状に傾斜させて、前壁部６１を当該スプール軸支持部５９から釣糸巻回胴部４９の略中央部に向けて形成したことを特徴としており、「釣糸巻回胴部４９の略中央部（Ｓ）」とは、釣糸巻回胴部４９の前後方向の全幅に対し、１／３＜（Ｓ）＜２／３の範囲をいう。
【００１８】
本実施形態に係るスピニングリール６７はこのように構成されているから、従来と同様、ベール３１を釣糸放出位置へ倒して釣竿を勢いよく振り下ろすと、釣糸巻回胴部４９に巻回された釣糸がスパイラル状に解かれて前側鍔部５７より前方へ放出される。
そして、斯様に釣糸が釣糸巻回胴部５７から放出される際に、釣糸が前側鍔部５７の外周に接触し乍ら放出されるため、釣糸の前側鍔部５７との接触で放出音が発生するが、既述したように本実施形態は、前壁部６１をスプール軸支持部５９を頂部とする山形状に傾斜させて、当該前壁部６１を釣糸巻回胴部４９の略中央部に向けて設けた、換言すれば前壁部６１を釣糸巻回胴部４９の略中央部に連結したため、前壁部６１が釣糸巻回胴部４９の略中央部での放出音の大きな共鳴振動を抑えることとなる。
【００１９】
この結果、前壁部６１との連結部位を境にその前後に分散されて釣糸巻回胴部４９が夫々で共鳴振動しようとするが（この場合、後側に比し前側の方が若干大きく共鳴振動しようとする）、前記消音部材６３がスプール本体５３の前端側内周に圧接して、共鳴振動する放出音を消音する。
また、ハンドル２１の巻取り操作に伴いベール３１を釣糸巻取り位置へ反転させると、釣糸がベール３１からラインローラ３３に案内されて、ロータ１５の回転に連動して前後方向へ往復動するスプール４７に釣糸が巻回されるが、図２に示すように前壁部６１を、スプール軸支持部５９を頂部とする山形状に傾斜させた所謂「山形状の撫で肩リブ形状」としたため、スプール４７の前後方向への往復動時に前壁部６１がロータ１５と干渉せず、スプール４７の大きな前後ストロークが維持されることとなる。
【００２０】
このように本実施形態によれば、前壁部６１と消音部材６３の働きにより、簡単な構造によって釣糸放出時に発生する放出音の低減を確実に図ることができると共に、図５の従来例に比し部品点数が少ないため、組込性，分解性に優れ、低コストで製品化できる利点を有する。
また、既述したように本実施形態は、前壁部６１を「山形状の撫で肩リブ形状」としたため、例えば前壁部を断面Ｌ字状に折曲形成してこれを釣糸巻回胴部の略中央部に連結した構造に比し、スプール４７の前後方向への往復動時に前壁部６１がロータ１５と干渉せず、この結果、スプール４７の大きな前後ストロークが維持できると共に、スプール４７の軽量化が可能となる利点を有する。
【００２１】
図３は請求項１に係る発明の一実施形態を示し、本実施形態は、図２のスプール前鍔リング５５に代え、スプール４７-1の先端側に前記前側鍔部５７と同一形状の前側鍔部５７-1を一体成形したもので、スプール４７-1は、当該前側鍔部５７-1と釣糸巻回胴部４９-1と、釣糸巻回胴部４９-1の後端側に設けられた図示しない後側鍔部とで一体に形成されている。
【００２２】
そして、本実施形態も、中央にスプール軸支持部５９が設けられた前記前壁部６１と同一形状の前壁部６１-1をスプール４７-1に設けたもので、前壁部６１-1は、スプール軸支持部５９-1を頂部として山形状に傾斜して釣糸巻回胴部４９-1の略中央部に向けて設けられた、「山形状の撫で肩リブ形状」とされている。
尚、その他の構成は図１の実施形態と同様であるので、同一のものには同一符号を付してそれらの説明は省略する。
【００２３】
本実施形態はこのように構成されており、本実施形態によっても、前壁部６１-1が釣糸巻回胴部４９-1の略中央部での放出音の大きな共鳴振動を抑えるため、釣糸放出時に発生する放出音の低減を簡単な構造によって図ることができると共に、図５の従来例に比し部品点数が少ないため、組込性，分解性に優れ、低コストで製品化できる利点を有する。
また、本実施形態も前壁部６１-1を「山形状の撫で肩リブ形状」としたため、図１の実施形態と同様、スプール４７-1の大きな前後ストロークが維持できると共に、スプール４７-1の軽量化が図れる利点を有する。
【００２４】
図４は請求項１及び請求項３に係る発明の一実施形態を示し、本実施形態は、図３の実施形態で用いたスプール止めキャップ（機能部材）４３に着目し、これを前側鍔部５７-1の内周方向へ延設して、スプール軸３５へのスプール４７-1の取付けに当たり、スプール止めキャップ４３-1と前側鍔部５７-1の内底部５７-2との間で消音部材６３-1を挟持したものである。
【００２５】
尚、その他の構成は既述した各実施形態と同様であるので、同一のものには同一符号を付してそれらの説明は省略する。
而して、本実施形態によっても、図１の実施形態と同様、所期の目的を達成することが可能で、簡単な構造によって釣糸放出時に発生する放出音の低減を確実に図ることができる。
【図面の簡単な説明】
【００２６】
【図１】請求項１及び請求項２の一実施形態に係るスピニングリールの正面図である。
【図２】図１のスピニングリールに装着されたスプールの要部切欠き平面図である。
【図３】請求項１の一実施形態に係るスピニングリールに装着されるスプールの要部切欠き平面図である。
【図４】請求項１及び請求項３の一実施形態に係るスピニングリールに装着されるスプールの要部切欠き平面図である。
【図５】従来のスプールの断面図である。
【符号の説明】
【００２７】
１１  フライヤ軸
１３  リール本体
１５  ロータ
２１  ハンドル
２５，２７  支持アーム
２９  ベール支持部材
３１  ベール
３３  ラインローラ
３５  スプール軸
４１  トラバース機構
４３，４３-1  スプール止めキャップ
４５  ストッパピン
４７，４７-1  スプール
４９，４９-1  釣糸巻回胴部
５１  後側鍔部
５３  スプール本体
５５  スプール前鍔リング
５７，５７-1  前側鍔部
５９，５９-1  スプール軸支持部
６１，６１-1  前壁部
６３，６３-1  消音部材
６５  環状溝
６７  スピニングリール                                                                               
【図１】
0004503515.tif 000002
【図２】
0004503515.tif 000003
【図３】
0004503515.tif 000004
【図４】
0004503515.tif 000005
【図５】
0004503515.tif 000006